(57)【要約】【課題】カメラの向きの調整を可能とし、小型に折り畳めて携帯し易い簡易なカメラ付携帯電話機用三脚を提供することにある。【解決手段】カメラ付携帯電話機用三脚は、主軸線（５）を中心に左右に開くようになった２つの前脚（１及び２）と、前記主軸線を中心に回動するようになった第１取付けブロック（３）及び第２取付けブロック（４）と、第１取付けブロックの第１横枢軸（７）を中心に後方に開くようになった１つの後脚（６）と、第２取付けブロックの第２横枢軸（９）を中心に前後に回動でき、互いに電気的に接続された縦向きの接続端子部（１０）及び後向きの充電接続端子部（１１）を有するコネクターブロック（８）と、を含む。【選択図】      図２
2004317578.tif 000002
【特許請求の範囲】
【請求項１】
主軸線を中心に左右に開くようになった２つの前脚と、前記主軸線を中心に回動するようになった第１取付けブロック及び第２取付けブロックと、第１取付けブロックの第１横枢軸を中心に後方に開くようになった１つの後脚と、第２取付けブロックの第２横枢軸を中心に前後に回動でき、互いに電気的に接続された縦向きの接続端子部及び後向きの充電接続端子部を有するコネクターブロックと、を含む、カメラ付携帯電話機用三脚。
【請求項２】
前脚及び後脚からなる３つの脚には、支持面との接触部分に滑り止めパッドが取り付けられている、請求項１に記載のカメラ付携帯電話機用三脚。
【発明の詳細な説明】
【０００１】
【発明の属する分野】
本発明はカメラ付携帯電話機用の簡易な三脚に関する。
【０００２】
【従来技術】
携帯電話機は近年誰でもが携帯するまでに普及し、また技術の進歩により色々な機能を内蔵した携帯電話機が市販されるようになった。取り分けカメラ付携帯電話機の出現はその最たるものであり、普通の携帯電話機からそのような多機能の携帯電話機に移行しつつある。加えて、セルフタイマーを内蔵したカメラ付携帯電話機も市販されるに至っている。
【０００３】
【発明が解決しようとする課題】
そのようなカメラ付携帯電話機の場合、セルフタイマーを使って写真をとろうとすれば、当然の事として携帯電話機を立て掛けることが必要になる。一般的には、その立て掛けには充電スタンドが利用されことになるが、カメラ付携帯電話機を充電スタンドに差して立てた場合、充電スタンドの構造上、カメラの向きが常に決まってしまうことから、スタンドの置き方を工夫してカメラの向きを調整する必要がある。その上、充電スタンドは寸法形状が大きく嵩張っているため、これを携帯するには不向きなものである。
本発明の目的は、カメラの向きの調整を可能とし、小型に折り畳めて携帯し易い簡易なカメラ付携帯電話機用三脚を提供することにある。
【０００４】
【課題を解決するための手段】
本発明の上記の目的は、主軸線を中心に左右に開くようになった２つの前脚と、前記主軸線を中心に回動するようになった第１取付けブロック及び第２取付けブロックと、第１取付けブロックの第１横枢軸を中心に後方に開くようになった１つの後脚と、第２取付けブロックの第２横枢軸を中心に前後に回動でき、互いに電気的に接続された縦向きの接続端子部及び後向きの充電接続端子部を有するコネクターブロックと、を含む、カメラ付携帯電話機用三脚を提供することによって達成される。
【０００５】
本発明の好ましい実施形態では、３つの脚には、支持面との接触部分に滑り止めパッドが取り付けられている。
【０００６】
【作用】
先ず、コネクターブロックを第２取付けブロックを介して、主軸線を中心に、折り畳まれた脚に対してほぼ１８０°回動させ、次いで、前脚を左右に開き、後脚を後方に開いて三脚を立てる。次いで、カメラ付携帯電話機の外部接続端子部をコネクターブロックの縦向きの接続端子部に差し込んで接続し、それによってカメラ付携帯電話機を三脚で支持する。カメラ付携帯電話機のカメラを巧く被写体に向けるため、コネクターブロックを第２取付けブロックに対して第２横枢軸を中心に回動させてカメラの向きを微調整する。本発明による三脚は、充電接続端子部にＡＣアダプターのコネクターを接続すれば、充電スタンドとしても使用することができる。
【０００７】
【発明の実施形態】
以下、本発明によるカメラ付携帯電話用三脚の実施形態を添付図面を参照してもっと詳細に説明する。
図１、２、及び３を参照すると、２つの前脚１及び２、第１取付けブロック３及び第２取付けブロック４は主軸線５を中心にぞれぞれ独立に回動できるように構成されている。かくして前脚１及び２は主軸線５を中心に左右に開くことができる。後脚６は第１取付けブロック３に第１横枢軸７で回動自在に連結されていて、第１横枢軸７を中心に後方に開くことができる。第２取付けブロック４には、コネクターブロック８が第２横枢軸９で回動自在に連結されていて、第２横枢軸９を中心に前後に回動させることができる。コネクターブロック８は互いに電気的に接続された縦向きの接続端子部１０及び後向きの充電接続端子部１１を有する。本発明による三脚の主要部品は硬質のプラスチック材料で形成される。前脚１、２及び後脚６には、支持面との接触部分に軟質のプラスチック材料からなる滑り止めパッド１２、１３がそれぞれ取り付けられている。
【０００８】
使用に際し、先ず、第２取付けブロック４を主軸線５を中心に、図１に示す折り畳み状態から脚に対してほぼ１８０°回動させてコネクターブロック８を起こす。次いで、前脚１及び２を主軸線５を中心に回動させて左右に開き、後脚６を第１横枢軸７を中心に回動させて後方に開く。前脚１及び２はコネクターブロック８を起こす前に左右に開いてもよくその順序は問わないことは明らかであろう。しかしながら、後脚６は、コネクターブロック８が起こされた後でなければ、これが邪魔して後方に開くことができないことも図１から理解されよう。かくして開かれた３つの脚により、コネクターブロック８を上に向けて三脚を支持面上に立てることができる。次いで、図２及び３に示すように、カメラ付携帯電話機１４の外部接続端子部（図示せず）をコネクターブロック８の縦向きの接続端子部１０に差し込んで接続すれば、カメラ付携帯電話機１４を三脚で支持することができる。カメラ付携帯電話機のカメラ１５を巧く被写体に向けるには、コネクターブロック８を第２取付けブロック４に対して第２横枢軸９を中心に回動させればよい。このようにしてセルフタイマーによる撮影を行うことができる。本発明による三脚は、カメラのぶれ防止のためにカメラを固定して撮影する際の三脚として使用できることは勿論である。
【０００９】
本発明による三脚は、図３から明らかなように、充電接続端子部１１にＡＣアダプター（図示せず）のコネクター１６を接続すれば、充電スタンドとしても使用することができる。
【００１０】
カメラ付携帯電話機がマナーモードにセットされている場合には、電話機に内蔵した振動器による振動で受信を知らせるようになっていることは周知の通りである。三脚で支持されたカメラ付携帯電話機が受信により振動するとき三脚はその振動により支持面上を動く傾向がある。本発明によれば、３つの脚の先端に設けられた滑り止めパッド１２、１３がそのような振動による三脚の望ましくない動きを完全に防止する。
【００１１】
本発明による三脚は上記と逆の順序で図１に示すように折り畳むことが出来る。このような折り畳めば、三脚はコンパクトな形態になり、嵩張らず携帯に大変便利である。
【図面の簡単な説明】
【図１】本発明によるカメラ付携帯電話機要三脚を折り畳んだ状態で示す側面図である。
【図２】カメラ付携帯電話機を接続して支持している本発明による三脚の前から見た斜視図である。
【図３】カメラ付携帯電話機を接続して支持している本発明による三脚の後ろから見た斜視図である。
【符号の説明】
１  前脚
２  前脚
３  第１取付けブロック
４  第２取付けブロック
５  主軸線
６  後脚
７  第１横枢軸
８  コネクターブロック
９  第２横枢軸
１０  接続端子部
１１  充電接続端子部
１２  滑り止めパッド
１３  滑り止めパッド
１４  カメラ付携帯電話機
１５  カメラ
１６  コネクター
【図１】
2004317578.tif 000003
【図２】
2004317578.tif 000004
【図３】
2004317578.tif 000005